(57)【特許請求の範囲】
【請求項１】
表面メッシュ地と裏面メッシュ地との間にモノフィラメントの連結糸を往来させるように編成することによって、前記表面メッシュ地と裏面メッシュ地との間に通気性の厚み間隙が形成されるように前記表面メッシュ地と裏面メッシュ地とを一体化してなるダブルラッセル編地と、該ダブルラッセル編地の片面に積層する発泡樹脂製または不織布製の保水性シート部材とからなり、
前記保水性シート部材に水を含ませて被包装物を包装し、被包装物から気化熱を奪うことを可能にしてなる包装用面状ヒートシンク。
【請求項２】
表面メッシュ地と裏面メッシュ地との間にモノフィラメントの連結糸を往来させるように編成することによって、前記表面メッシュ地と裏面メッシュ地との間に通気性の厚み間隙が形成されるように前記表面メッシュ地と裏面メッシュ地とを一体化してなる２枚のダブルラッセル編地間に発泡樹脂製または不織布製の保水性シート部材を挟み込んでなり、
前記保水性シート部材に水を含ませて被包装物を包装し、被包装物から気化熱を奪うことを可能にしてなる包装用面状ヒートシンク。
【請求項３】
請求項１または請求項２に記載の包装用面状ヒートシンクを素材として、紐締め可能な開口部を有する袋状体に形成してなり、
素材とした請求項１または請求項２に記載の包装用面状ヒートシンクの保水性シート部材に水を含ませて前記袋状体に飲料用ボトルまたはウォータバッグを収容して携帯することによって、前記袋状体に収容した飲料用ボトルまたはウォータバッグから気化熱を奪うことを可能にしてなる飲料水携帯ケース。
【請求項４】
前記袋状体の前記開口部を含む複数個所を紐締め可能にしてなる請求項３に記載の飲料水携帯ケース。
【発明の詳細な説明】
【技術分野】
【０００１】
本発明は、気化熱を利用して能動的冷却機能を発揮することができるようにした包装用面状ヒートシンクと、その包装用面状ヒートシンクを素材とする飲料水携帯ケースに関する。
【背景技術】
【０００２】
古都の夏場、民家の庭先における打ち水風景には、土が匂い立つなにかしら懐かしい思いがする。打ち水の情景は水に恵まれた我が国ならではの一種の贅沢に属する風景であると言えるかもしれない。打ち水の目的は庭先から気化熱を奪って涼を呼ぶことにある。気化熱は、５３９ｃａｌ／ｍｌである。単純計算では、水１ｍｌを気化させることによって、例えば５３９ｍｌの飲料水の温度を１度下げることができる。また、水の気化量は、概ね、気化表面積に比例し、気化表面に作用する風速の２乗に比例すると推測される。
【０００３】
代謝活動を適正に保って身体の恒常性を維持するには、身体内に一定量の水分が保持されていることが必要である。多量の発汗によって身体から水分が失われる夏場における長丁場のスポーツやレクリェーションに際しては、飲料水の持参が欠かせない。喉がからからで体温上昇により顔面が赤くなっているような状況においては、冷たい水の喉ごしは何とも有難い。
【０００４】
必要とされる時に冷たい水の有難さを享受するためには、冷たい水を気温に対して一定温度低い冷たい状態を維持したまま保存ないし携帯する必要がある。ここで、「気温に対して一定温度低いと」との表現は、人が飲み物を冷たいと感じる温度が環境温度によって変化するという経験則に着目したものである。つまり、夏場で冷たいと感じる温度の飲料水が冬場では温かいと感じるような現象は、よく知られている。
【０００５】
飲料水に限らず冷たいものをできるだけ冷たい状態を保って、保持または携帯したいと欲する各種の必要性に対して、従来は、どうしていたのであろうか。これを本願の発明者らが知り得ている範囲で本願発明と関連のあるもの選んで紹介すると次のようである。
【０００６】
職場へいわゆる愛妻弁当を持参する際に断熱性の複合布地からなる弁当袋が利用されることがある。弁当袋が発揮することができる機能は、専ら、断熱性の複合布地の機能に依存して決定されている。断熱性の複合布地は、できるだけ空気を通さないように高密度に織製された２枚の布地間に発泡樹脂製の薄いシートを挟み込んで、キルティング風に縫製して一体化し、その片面にアルミ箔を付設した構成である。この素材は、アルミ箔を付設した面を内側にして用いる。素材自体は、軽量であって家庭用のハサミで容易に切断し、家庭用のミシンで例えば弁当袋状等の立体形状に縫製することができる。
【０００７】
上記素材を使用した弁当袋等は、温かいものは温かさを維持し、冷たいものは冷たさを維持するように機能する。つまり魔法瓶のように機能する。ただし言うまでもなく魔法瓶のような本格的な保温保冷機能はない。また、冷たいものを収容しておくと結露し、内容物が水濡れしてしまう。アルミ箔が付設されている目的は、断熱効果の向上の他に結露水や惣菜汁が表面側に浸透し、携帯者のカバンやスーツ等が汁物で汚損する事態にならないように意図するものでもある。
【０００８】
レジャー用途には、携帯用魔法瓶が提供されている。これは、内筒をガラス製からステンレス製とするとともに、外筒を屋外用デザインを有する樹脂製としたものであり、実質的構成は、家庭用魔法瓶と同じである。携帯の便宜を考えると、重いこと及び内容積に比べて本体容積が過大であるのがこの種の製品に共通する大きな欠点である。
【０００９】
トレッキングや自転車による長距離ロードレース等、身軽さを保ちつつ、専ら飲料水のみを最小限荷物として携帯する必要性がある場合には、ハイドレーションと、これを収納するハイドラパックの活用が普及している。ハイドレーションは、点滴薬を収容する点滴バッグのようなものである。ハイドレーションの本体形状は自在に変化可能であって、キャップ付きの給水パイプを備える。つまり、パイプをくわえた後は、手を使うことなく水を飲めるように工夫されている。ペットボトルと異なり、内容の消費とともに形状変化して本体容積が減じるので携帯に便利である。一方、ハイドラパックは、ハイドレーションを携帯に便利な状態に収納するためのゴム質の専用包装体である。ハイドラパックには、携帯しているハイドレーションに対する日光の直射を遮るとともに携帯者の体温の伝導を阻止するため適度な断熱機能が与えられている。ハイドラパックにおいても冷たい飲料水を収納しておくと内部に結露水がたまるが、特に結露水による支障は生じない。
【００１０】
なお、長距離ロードレース用の自転車においては、ボトルゲージと称する飲料水携帯ボトルを自転車に取り付けておくためのオプション部品が提供されており、これを利用するのが最もスタンダードなスタイルであると言える。
【００１１】
団体のレクリェーション等においては、多人数用のジュース缶等を氷やドライアイスとともに収納することができるクーラーボックスが活用されるが、このようなものは、個人が携帯するには不向きである。その他、次欄に本願発明に関連する文献技術を掲示しておくので技術水準の判断等に参照されたい。
【先行技術文献】
【特許文献】
【００１２】
【特許文献１】特開２００８−２６１２１２号公報
【特許文献２】特開２０１０−１６９３７０号公報
【特許文献３】特開２０１１−０２１８６７号公報
【特許文献４】特開平１０−１１３２２７号公報
【特許文献５】特開平８−１１７０２７号公報
【００１３】
なお、飲料水等を対象として気化熱を利用して能動的に保冷するというアイデア自体は知られている。しかし、それらは携帯することが不可能であるか（特許文献２参照）、あるいは、絶対的な意味において携帯不可能とまでは明言できないものの、携帯することに著しい不利不便が伴うものに過ぎないのが従来の技術水準である（特許文献３参照）。
【発明の概要】
【発明が解決しようとする課題】
【００１４】
解決すべき技術課題は、従来の技術の不利不便から提示される場合もあり得るが、従来技術の不利不便とは関係なく、従来技術が目指している目標を全く異なる発想で達成しようとする課題もある。本発明は、この両者を含む。
【００１５】
自転車ロードレースのように身軽であることの要請と、補給水携帯の要請とが競合する場合、やむを得ず補給水に直射日光が当たる状態で携帯することとなる場合が大きい。携帯する補給水に直射日光が当たると、ひんやりとした水を飲むことは不可能になる。本発明の最終的目的を達成するための最終課題を構成する副課題の一つは、軽量であって直射日光を遮ることができる飲料水携帯ケースおよび、それを作製するための包装用素材の提供である。
【００１６】
冷たいまま補給水を携帯するためには、断熱性の素材で外気から補給水を隔離する必要がある。携帯者の体温が補給水に伝導するのを防ぐためにも同様のことが言える。従来補給水の包装に使用されているハイドラパックにおいては、通風性がないため、これを背負うように携帯している携帯者の背中が汗溜まりとなり非常に不愉快である。本発明の最終課題を構成する副課題の一つは、携帯者に対する通気性ないし通風性を阻害することなく補給水を身につけておける断熱性を有する飲料水携帯ケースおよび、それを作製するための包装用素材の提供である。
【００１７】
断熱性の複合布地やゴム系の樹脂素材からなる保温または保冷ケースにおいては、上記したように内部に結露が滞留するという問題があるが、ケースから出す必要がある弁当袋の場合と異なり、飲料水の場合は、通常保冷ケースごと取り扱うことができるので、結露水による格別の支障はない。しかし、この結露水が単に邪魔者扱いにされている状態というのはいかにも残念である。本発明の最終課題を構成する副課題の一つは、結露水を蒸発させて内部に収納した補給水から気化熱を奪い、能動的な冷却機能を発揮することができる飲料水携帯ケースおよび、それを作製するための包装用素材の提供である。
【００１８】
本発明の最終課題は、上に記述した個々の副課題の総体である。
【００１９】
すなわち、本発明は、収納した補給水を直射日光から守る遮光性と、収納した補給水を環境から隔離する隔離性と、結露水を気化させるための通風性と、携帯者の身体に密着しても携帯者の身体に対する通風性を阻害しない通風性と、携帯者の身体に密着しても携帯者の身体を濡らさない水遮断性と、携帯者の身体活動を阻害しない軽量性の要求を実現しつつ、冷たい状態の補給水の温度上昇をできるだけ長時間能動的に抑制しながら携帯することができる、飲料水携帯ケースおよび、それを作製するための包装用素材としての包装用面状ヒートシンクを提供することを目的とする。
【００２０】
なお、上記課題中、包装用面状ヒートシンクについては、飲料水以外の物の包装用途に使用することが予定されている。飲料水携帯ケースは、いわば、包装用面状ヒートシンクの一用途例としての位置付けである。
【課題を解決するための手段】
【００２１】
一覧して了解されるように、上記課題には一見して両立し得ないと思われる要望事項が幾組か含まれている。しかし、本願の発明者らは、両立が困難であることを両立させたからこそ発明なのであると自負する。次に、発明者らが自負するところの解決手段とその解決手段がどのような理由でどのように機能するのかを説明する。
【００２２】
（解決手段１）
本発明の包装用面状ヒートシンクは、表面メッシュ地と裏面メッシュ地との間にモノフィラメントの連結糸を往来させるように編成することによって、表面メッシュ地と裏面メッシュ地との間に通気性の厚み間隙が形成されるように表面メッシュ地と裏面メッシュ地とを一体化してなるダブルラッセル編地と、ダブルラッセル編地の片面に積層する発泡樹脂製または不織布製の保水性シート部材とからなり、保水性シート部材に水を含ませて被包装物を包装し、被包装物から気化熱を奪うことを可能としたことを特徴とする。
【００２３】
上記構成は、屋外に飲料水を携帯するに際して、飲料水を充填したペットボトルやハイドレーションを収容する飲料水携帯ケースを作製する素材として、その他汎用の要保冷被包装物を包装するための包装用面状ヒートシンクの構成を示している。
【００２４】
包装用面状ヒートシンクは、ダブルラッセル編地と、これに積層する保水性シート部材とからなる。ダブルラッセル編地は、表面メッシュ地と裏面メッシュ地とを、両者間を往来する態様で表面メッシュ地と裏面メッシュ地に織り込まれるモノフィラメントの連結糸によって一体化した特殊なメッシュ地である。表面メッシュ地と裏面メッシュ地との間には、通気性の厚み間隙が形成されている。感覚的にわかり易いダブルラッセル編地の使用例を挙げると、ホテルのスリッパや、パイプ椅子の座面および背もたれ部に使用例がある。厚み間隔内を往来するモノフィラメントの連結糸の曲げ抗力によって発揮される適度なクッション性と、高度の通気性と、水分の浸透を阻止する機能と、体圧分散性を有する点が評価された例であると言える。
【００２５】
ダブルラッセル編地における表面メッシュ地および裏面メッシュ地は、チェーン状の素糸からなる菱目のネットのように観察される。また、ダブルラッセル編地を断面方向から観察すると、連結糸があたかも霜柱のごとく観察される。ダブルラッセル編地を持って振り回すと殆んど空気抵抗を感じないことから、素材全体としても高度の通気性を有することが理解される。ダブルラッセル編地を面に対して垂直方向から観察すると背景が透けて見えるが、斜方向から観察すると背景は殆んど見えない。これは、表面メッシュ地と裏面メッシュ地と連結糸とが視線を遮断する配置をとるからである。このことは、通気性を維持しつつ遮光性を発揮することができることを示している。なお、ダブルラッセル編地の表面メッシュ地と裏面メッシュ地とは、通常同一素材からなり、実際には、表裏を判別することができない。つまり、使用上、偶然的に表面側に位置する面が表面メッシュ地と了解されるべきである。
【００２６】
すなわち、ダブルラッセル編地は、ネット地として軽量であって、高度の通風性と遮光性を両立させることができる極めて稀な素材として選択されているのである。太陽は、概ね我々の頭上に位置し、包装用面状ヒートシンクの使用上、ダブルラッセル編地の垂直方向に太陽が位置する確率は低いと言える。
【００２７】
ダブルラッセル編地に積層される保水性シート部材は、発泡樹脂製または不織布製であり、被包装物の結露水を吸収させ、結露水がない場合には、人為的に付与する一定量の水を保水させておくことが意図されている。この目的からして、発泡樹脂素材については、独立気泡性のものではなく、連続気泡性のものが採用される。保水性シート部材は、使用されている素材の特性上、自己形状維持力を有するため、ダブルラッセル編地に単に積層状態にしておくだけで通常の包装用途に適するが、ダブルラッセル編地に重ねた上で適度な縫製間隔で両者を縫い付けておくこともできる。
【００２８】
（解決手段２）
本発明の包装用面状ヒートシンクは、表面メッシュ地と裏面メッシュ地との間にモノフィラメントの連結糸を往来させるように編成することによって、表面メッシュ地と裏面メッシュ地との間に通気性の厚み間隙が形成されるように表面メッシュ地と裏面メッシュ地とを一体化してなる２枚のダブルラッセル編地間に発泡樹脂製または不織布製の保水性シート部材を挟み込んでなり、この保水性シート部材に水を含ませて被包装物を包装し、被包装物から気化熱を奪うことを可能としたことを特徴とする。
【００２９】
上記解決手段２に示す包装用面状ヒートシンクが先に記述した解決手段１に示す包装用面状ヒートシンクと異なる点は、保水性シート部材が２枚のダブルラッセル編地間に挟み込まれている点である。これらの包装用面状ヒートシンクの作用は、下記解決手段３および解決手段４に記載の飲料水携帯ケースの作用とともにまとめて説明する。
【００３０】
（解決手段３）
本発明の飲料水携帯ケースは、上記解決手段１に記載の包装用面状ヒートシンク、または解決手段２に記載の包装用面状ヒートシンクを素材として、紐締め可能な開口部を有する袋状体に形成してなり、形成した袋状体に飲料用ボトルまたはウォータバッグを収容し、素材とした包装用面状ヒートシンクの保水性シート部材に水を含ませて携帯することによって、袋状体に収容した飲料用ボトルまたはウォータバッグから気化熱を奪うこと特徴とする。
【００３１】
（解決手段４）
上記飲料水携帯ケースにおいては、袋状体の開口部を含む複数個所を紐締め可能にすることもできる。
【００３２】
上記解決手段欄において構成を説明した本発明の包装用面状ヒートシンクは、ダブルラッセル編地と保水性シート部材との積層構造を有する面状に構成される。ダブルラッセル編地はもとより、保水性シート部材として用いられる発泡樹脂製シートまたは不織布製シートも素材特性上十分な可撓性を有する。したがって、被包装物の形状に対する追従性に優れ、汎用の面状包装資材として広く活用することができる。
【００３３】
本発明の包装用面状ヒートシンクは、保水性シート部材を内側面として使用するのが一般的であるが、保水性シート部材を外側面として使用することもできる。保水性シート部材を内側面として使用する場合には、素材である発泡樹脂材料または不織布材料が被包装物を接触性の損傷から保護するとともに、応力分散性のあるダブルラッセル編地が被包装物を衝撃負荷から保護するように機能することができる。このような特性は、本発明の包装用面状ヒートシンクが、重要文化財等の脆弱な貴重物品の包装用途に極めて好適であることを示している。
【００３４】
包装用面状ヒートシンクの本領は、温度変化を嫌うものを包装する場合に本領を発揮する。保水性シート部材の素材である発泡樹脂材料または不織布は、内部に多量の空気を含んでいることにより、任意に選択することができる使用上の厚みに応じて高い断熱性を発揮することができるからである。また、ダブルラッセル編地は、通気性を維持しつつ、保水性シート部材を直射日光から遮断することができるので、保水性シート部材に含まれる空気の温度上昇を阻止することができる。
【００３５】
包装用面状ヒートシンクは、温度変化を嫌うものであって、冷たい状態を保っておきたい包装物を包装する場合に、発明者らが意図した本領を発揮することができる。なお、この場合には、被包装物が結露する物品である場合を除き、保水性シート部材に水を含ませて使用する。
【００３６】
結露水または与えられた水を含んだ保水性シート部材は、水を媒介として熱を伝導する性質を帯び、被包装物の表面から熱を奪うことができる。保水性シート部材の表面にはダブルラッセル編地が存在するが、この素材は、通気性を遮断しない。したがって、保水性シート部材に含ませた水分は、その表面から継続的に外部に蒸散し、被包装物から保水性シート部材に伝導された熱エネルギーは、含ませた水分の気化エネルギーとして消尽される。本発明においては、このような熱移動の制御を「能動的冷却機能」と称する。単に、熱の移動を阻止するだけの断熱機能にとどまらず、積極的に熱移動を特定の方向に促進しているからである。
【００３７】
上記能動的冷却機能は、保水性シート部材に水分が残存する限り継続し、この機能は、ダブルラッセル編地を介して保水性シート部材に作用する通風量が増大するほど高められる。ここで、ダブルラッセル編地は、保水性シート部材が水を含んでいるにもかかわらず、包装用面状ヒートシンクに包装された被包装物に接触する物を濡らさないという極めて好都合な機能を発揮する。ダブルラッセル編地においては、裏面メッシュ地から表面メッシュ地への水の浸透は、両者間に存在する高通気性の厚み間隙によって遮断されるからである。なお、厚み間隙内に存在する連結糸にモノフィラメント糸を使用しているのは、毛細管現象による水の浸透を阻止する趣旨である。連結糸にマルチフィラメント糸を使用した場合には連結糸を介して水の浸透が生じ得る。
【００３８】
なお、被包装物が水濡れを嫌う物品である場合には、包装用面状ヒートシンクの表裏を反転して、つまり、ダブルラッセル編地を内側面にして使用することもできる。ただし、この場合には、通常、保水性シート部材に水を含ませないで使用することが好ましい。この使用態様での包装用面状ヒートシンクは、能動的冷却機能を発揮せず、被包装物に対して単なる断熱性保護部材として機能する。
【００３９】
２枚のダブルラッセル編地間に保水性シート部材を挟み込んでなる包装用面状ヒートシンクは、被包装物を濡らすことなく、かつ、周囲の物品を濡らすことなく能動的冷却機能を発揮することができる。
【００４０】
上記、包装用面状ヒートシンクは、それを素材として使用して飲料水携帯ケースとした場合においても、上記単体の包装用面状ヒートシンクと同様の機能を発揮する。この場合、被包装物である飲料用ボトルまたはウォータバッグ等に対する包装作業を省略して、被包装物を予め作製されている飲料水携帯ケースに収容するのみで足りるという点が利点になる。
【００４１】
上記、飲料用ボトルまたはウォータバッグを収容した飲料水携帯ケースは、素材である包装用面状ヒートシンクの可撓性によって、飲料用ボトルまたはウォータバッグの形状に倣って変形し、これらの表面に密着することが可能であり、開口部を紐締めすることによって、収容物の抜け落ち等を防止できる。飲料用ボトルまたはウォータバッグの表面に生じた結露水は、保水性シート部材に吸収され、吸収された結露水は、ダブルラッセル編地を介して蒸発し、持続的かつ能動的に被包装物から熱を奪う、あるいは、被包装物の温度上昇を効果的に抑制することができる。
【００４２】
開口部を含む複数個所を紐締め可能にしてなる飲料水携帯ケースは、紐締めされた複数個所において、保水性シート部材に含ませた水の移動が阻止される。この結果、重力や振動等によって保水性シート部材に含ませた水が一箇所に片寄り、保水量限度を超えて落下してしまう現象を阻止することができるので、激しい身体運動を伴うスポーツや、自転車に取り付けての携帯に極めて有利である。
【発明の効果】
【００４３】
本発明の包装用面状ヒートシンクは、飲料用ボトルまたはウォータバッグ等を、積層形成したダブルラッセル編地と保水性シート部材とによって外気や直射日光から遮断しつつ、保水性シート部材によって被包装物の表面に生じた結露水を吸収し、または、保水性シート部材に意図的に付与された水分をダブルラッセル編地の高通気性の厚み間隔を介して蒸発させて気化熱を奪い、被包装物を能動的に冷却するという従来の面状包装資材には見られない画期的機能を発揮することができる。
【００４４】
また、上記包装用面状ヒートシンクを用いて作製された飲料水携帯ケースは、飲料用ボトルまたはウォータバッグ等の被包装物を収容して携帯する際において、被包装物の結露水または保水性シート部材に意図的に付与された水分を携帯者の身体を濡らすことなく、また、携帯者の身体に対する通風を阻害することなくダブルラッセル編地の高通気性の厚み間隙を介して蒸発させて気化熱を奪い、飲料用ボトルまたはウォータバッグを能動的に冷却するという従来の飲料水携帯ケースには見られない画期的機能を発揮することができる。
【図面の簡単な説明】
【００４５】
【図１】本発明の包装用面状ヒートシンクの実施の形態を示す要部の斜視図である。
【図２】上記実施の形態に示す包装用面状ヒートシンクの模式的な拡大断面部である。
【図３】本発明の包装用面状ヒートシンクの別の実施の形態を示す模式的な断面図である。
【図４】本発明の包装用面状ヒートシンクの使用例を示す断面図である。
【図５】本発明の飲料水携帯ケースの実施の形態を示す半裁断面図である。
【図６】上記実施の形態に示す飲料水携帯ケースの使用状態説明図である。
【図７】上記使用状態における飲料水携帯ケースの保冷効果を示すグラフである。
【図８】上記実施の形態に示す飲料水携帯ケースの作製要領を示す説明図である。
【発明を実施するための形態】
【００４６】
以下、図面を引用しながら本発明の包装用面状ヒートシンク及びそれを使用した飲料水携帯ケースの実施の形態例について説明する。
【００４７】
本発明の包装用面状ヒートシンク５０は、ダブルラッセル編地３と、このダブルラッセル編地３の片面に重ね合わせる態様で積層する保水性シート部材４とからなる（図１，図２）。
【００４８】
ダブルラッセル編地３は、表面メッシュ地３Ａと裏面メッシュ地３Ｂと、これらの間を往来するように編み込まれる連結糸３Ｃとからなり、表面メッシュ地３Ａと裏面メッシュ地３Ｂとの間にはモノフィラメントの連結糸３Ｃのみが霜柱状に存在する高通気性の厚み間隙Ｔが形成されている。このようなダブルラッセル編地３は、表面メッシュ地３Ａおよび裏面メッシュ地３Ｂ自体も高通気性を有することから、全体としても高度の通気性を有するとともに、連結糸３Ｃがモノフィラメントであることから毛細管現象による表面メッシュ地３Ａから裏面メッシュ地３Ｂ方向の、または、この逆方向の水の浸透が阻止される。また、モノフィラメントの連結糸３Ｃの曲げ抗力によって弾性回復力に優れた極めて優秀なクッション性を示す。そして、これらの好都合な素材特性が本発明の前提になっている。このような特殊な素材は、（株）旭日化成せんいから、フュージョン（商品名）と指名して入手することができる。この際、メッシュの粗度や厚み間隙Ｔ、色合い等を選択することが可能である。
【００４９】
ダブルラッセル編地３に積層される保水性シート部材４としては、不織布製のシートまたは発泡樹脂製のシートを使用することができる。保水性シート部材４の目的は、含ませた適量の水分を表面から自由に全量気化可能な状態で、かつ、容易には滴下しない状態で保持することである。好ましい保水性シート部材４の態様は、この目的に対して合目的的に決定される。すなわち、好ましい保水性シート部材４の特性は、不織布製のシートにあっては繊維密度が高いこと、発泡樹脂製のシートにあっては、気泡密度が高いことが求められる。繊維密度や気泡密度が低い場合には、含ませ得る水分量が少ないとともに、含ませた水分が振動等によって容易に振り落とされてしまう結果となるからである。また、発泡樹脂製のシートについては、その外に、採用される樹脂素材が難質なものであること、および、形成される気泡が連続気泡性であることが求められる。包装資材としての可撓性および素材内部での水分の自由な移動性を確保するためである。なお、保水性シート部材４に含ませ得る水分量は、ほぼ不織布製のシートまたは発泡樹脂製のシートの厚みに比例するので、この点を考慮して採用する厚みを決定することが必要である。この際、ダブルラッセル編地３と保水性シート部材４とを重ね合わせたときの全体厚みについても、包装資材として扱い易い厚みになるように配慮すべきである。
【００５０】
重ね合わせたダブルラッセル編地３と保水性シート部材４とは、縦横方向の刺子縫製２Ｓ，２Ｓ…等によって簡単に一体化しておくことが取り扱い上で便利である（図１）。ただし、本包装用面状ヒートシンク５０を素材として二次製品を作製する場合においては、両者を一体化してもその利点を享受することができないか、あるいは、一体化しない方が便利である場合もあり得る。これは、作製する二次製品のサイズや態様によって定まる問題である。
【００５１】
本発明の包装用面状ヒートシンク５０は、２枚のダブルラッセル編地３，３間に保水性シート部材４を挟み込んだ３層構造とすることもできる（図３）。この際、２枚のダブルラッセル編地３，３は、同一素材である必要はなく、本実施の形態においては、厚み間隙Ｔ，Ｔが異なるものを使用している。これは使用上の応用性を高めることが狙いである。
【００５２】
上記本発明の包装用面状ヒートシンク５０は、保水性シート部材４の素材である不織布製のシートまたは発泡樹脂製のシートによる被包装物の表面保護機能と、ダブルラッセル編地３による衝撃分散性ともに優れるので、保冷する必要のない被包装物を含め、高級家具や貴重美術品の梱包輸送用途等に効果的に使用することができる。また、特殊な用途としては、例えば、保水性シート部材４に十分な水分を含ませて行う水生動物の輸送や、体温調節機能に乏しいペット類の夏場における保冷輸送に応用することができる（図４）。同図は、ペットであるオウムＰを鳥かごＭごと引っ越し輸送する際の、保冷及び安静維持用途に鳥かごＭを被覆する態様での使用例を示している。
【００５３】
本発明の包装用面状ヒートシンク５０は、これを２次加工し、例えば、補給水ボトルＢを保冷携帯するための飲料水携帯ケース６０として提供することができる（図５）。
【００５４】
補給水ボトルＢは、長距離自転車レース等において自転車ＣＹに取り付けて携帯する専用ボトルである（図６）。専用ボトルの場合は、通常、自転車ＣＹのサドルパイプＣ１にボトルゲージＣ２と称する専用のアダプタを取り付け、ボトルゲージＣ２に補給水ボトルＢを差し込む態様で使用される。
【００５５】
飲料水携帯ケース６０は、素材とした包装用面状ヒートシンク５０の保水性シート部材４を内面側として、閉じ紐Ｓによって開口部Ｂ１を紐締め可能な有底円筒状（袋状体）に形成されている。開口部Ｂ１から補給水ボトルＢを差し込んで開口部Ｂ１を紐締めすることによって、重量増加と外形拡大を最小限に抑えての補給水ボトルＢの携帯が可能である。また。ボトルゲージＣ２を使用する際には、このように包装したまま、単体の補給水ボトルＢの場合と同様に既製品のボトルゲージＣ２に差し込んで携帯することができる。なお、本実施の携帯の飲料水携帯ケース６０においては、開口部Ｂ１の他に中間部にも閉じ紐Ｓが付設され、補給水ボトルＢを収容した後、補給水ボトルＢの中間位置も締め上げることができる（図５）。中間部の閉じ紐Ｓは、保水性シート部材４を補給水ボトルＢに確実に密着させるとともに、保水性シート部材４に含ませた水分の重力による下降移動をその位置で一旦阻止する機能を発揮することができる。
【００５６】
補給水ボトルＢに本発明の飲料水携帯ケース６０を適用することによってどの程度の保冷効果が発揮されるということが最も肝心である。そこで、自転車ＣＹに図６に示す取り付け態様で本発明の飲料水携帯ケース６０に収容した補給水ボトルＢと、単体の補給水ボトルＢとを並列に取り付け、長距離自転車レースイベントであるツールド能登に参戦経験を有する発明者自身が石川県河北郡津幡町の海浜寄りに展開している河北潟周辺を実走して得られたデータを図７に示す。同図の縦軸は温度Ｔ１を、また、横軸は時間Ｔ２を示す。走行時間は、午前９時から正午までの３時間弱、天候条件は、梅雨入り後の蒸し暑い薄曇りである。走行時間が長いため、この間、２回、水が得られる休憩所で飲料水携帯ケース６０の保水性シート部材４に水を含ませた。温度測定器には、携帯に便利な横河電機（株）製、PORTABLE DATA STATION  ＸＬ１００を使用した。なお、図７のグラフ中の実線は気温（Ｄ１）を、一点鎖線は補給水ボトルＢ単体の水温（Ｄ２）を、鎖線は、飲料水携帯ケース６０に収容した補給水ボトルＢの水温（Ｄ３）の変化を示す。
【００５７】
当日は、湿潤な熱帯性暖機が流れ込んでおり、気温（Ｄ１）は午前９時から正午までの３時間弱で２４度から３３度にまで上昇している。走行開始時点における２個の補給水ボトルＢの水温（Ｄ２，Ｄ３）はいずれも２２度である。走行開始後、補給水ボトルＢ単体の水温（Ｄ２）は、気温（Ｄ１）の上昇に沿って上昇するのに対して、飲料水携帯ケース６０に収容した補給水ボトルＢの水温（Ｄ３）の上昇率は小さく、気温（Ｄ１）との較差が徐々に拡大するように変化する。走行終了時点での具体的温度上昇は、補給水ボトルＢ単体では８度上昇したのに対して、飲料水携帯ケース６０に収容した補給水ボトルＢの場合は、３度の上昇にとどまっている。先に記述したように人が冷たさを感じる感覚は絶対的なものではなく、環境条件との較差に大きく支配される相対的なものである。つまり、ここで生じた気温（Ｄ１）と水温（Ｄ３）との相対的に大きな較差が補給水を冷たいと感じさせてくれるのである。
【００５８】
以下に、包装用面状ヒートシンク５０を使用して上記飲料水携帯ケース６０の作製要領を説明する。本実施の形態の説明の冒頭に飲料水携帯ケース６０は、開口部Ｂ１を紐締め可能な有底円筒状に形成されていると説明したが、より正確には、補給水ボトルＢを収容した際に有底円筒状になるように形成されている、というのが適切である。つまり、飲料水携帯ケース６０は、立体縫製によって有底円筒状に形成することはもとより好ましいことではあるが、素材とする本発明の包装用面状ヒートシンク５０のダブルラッセル編地３の高度の伸縮性を利用することによって立体縫製手段に依ることなく次のように至極簡単に作製することができる（図８（Ａ），（Ｂ））。なお、図８中、２点鎖線は折返しラインを示し、一点鎖線は縫製ラインを示す。
【００５９】
基準とする寸法は、補給水ボトルＢの実効胴長Ｌと、補給水ボトルＢの直径Ｄである（図５）。使用する保水性シート部材４の縦寸法Ｌ１を補給水ボトルＢの実効胴長Ｌ相当に設定するとともに、保水性シート部材４の横寸法Ｌ２を補給水ボトルＢの直径Ｄの３倍強に設定する（図８（Ａ））。なお、保水性シート部材４は、１枚で横寸法Ｌ２を達成するものであってもよいが、２枚ないし３枚の合計で横寸法Ｌ２を達成するものとしてもよい。同図は、２枚の保水性シート部材４で横寸法Ｌ２を実現する例である。
【００６０】
次に、ダブルラッセル編地３の寸法を決定する。この生地は、伸縮性が大きいので、本用途との関係では厳密な寸法決めは不要である。ダブルラッセル編地３の横寸法は、保水性シート部材４の横寸法Ｌ２に縫い代を加算した程度に設定する。また、ダブルラッセル編地３の縦寸法は、保水性シート部材４の縦寸法Ｌ１の上下に、それぞれ締め紐Ｓを締め込んで絞り込むための寸法を加算した寸法に設定する。本飲料水携帯ケース６０のように、下端部を完全に絞り込む場合には、僅かな絞り込み量で足りる上端の開口部Ｂ１側よりも多くの寸法を見積もる必要がある。なお、ダブルラッセル編地３は、完全に絞り込むと単なる太い繊維束状に至ることができる。
【００６１】
次に、ダブルラッセル編地３を折返しラインＬ４，Ｌ４で折り返して縫製し、上下端部に、それぞれ締め紐Ｓ，Ｓを挿通するための細い紐通し孔を形成する。次いで、ダブルラッセル編地３を中央位置の折返しラインＬ３で折り返し、合致した縫製ラインＬ６を縫合する（図８（Ｂ））。この後、下端位置の締め紐Ｓを完全に絞込んで結わえることによって、補給水ボトルＢ用の飲料水携帯ケース６０が完成する。完成した飲料水携帯ケース６０に補給水ボトルＢを差し入れるようにして収容し、開口部Ｂ１の締め紐Ｓを締め込むと飲料水携帯ケース６０は、あたかも立体縫製したかのごとく整った補給水ボトルＢの形状に変形するのである（図５）。
【００６２】
なお、ウォータバッグのように角張った飲料水容器を対象とする場合は、ダブルラッセル編地３の下端側の紐通し孔を省略し、この部分を縫製して閉じしまうことによって簡単に対応することができる。
【符号の説明】
【００６３】
Ｔ        厚み間隙  
Ｓ        締め紐
５０      包装用面状ヒートシンク
３        ダブルラッセル編地
３Ａ      表面メッシュ地
３Ｂ      裏面メッシュ地
６０      飲料水携帯ケース
【要約】
【課題】  水分補給のために携帯する補給水ボトルまたはウォータバッグの温度上昇を長時間にわたって能動的に抑制する。
【解決手段】  保水性シート部材４と高通気性のダブルラッセル編地３とを積層構成した素材で補給水ボトルＢを収容可能なメッシュ状カバー６０を形成する。保水性シート部材４に補給水ボトルＢ等の表面に生じる結露水を吸収させ、または、別途に水分を含ませて携帯する。携帯者の身体が補給水ボトルＢと接している場合にも、ダブルラッセル編地３の通気性の厚み間隙を介して保水性シート部材４から水分を蒸発させて被包装物であるから補給水ボトルＢの気化熱を奪うとともに、携帯者からの体温移動を遮断し、携帯者に対する通風も確保される。
【選択図】  図５【図１】
0005551816.tif 000002
【図２】
0005551816.tif 000003
【図３】
0005551816.tif 000004
【図４】
0005551816.tif 000005
【図５】
0005551816.tif 000006
【図６】
0005551816.tif 000007
【図７】
0005551816.tif 000008
【図８】
0005551816.tif 000009